(57)【特許請求の範囲】
【請求項１】
ケース本体の前面側に開放部が形成され、前記開放部が冷気のエアカーテンで覆われることにより前記ケース本体の庫内が保冷され、前記開放部の下縁部に第１商品表示具取付部材が取付けられ、前記第１商品表示具取付部材に第１商品表示カードを支持する第１商品表示具が取付可能なショーケースにおいて、
上端部が前記第１商品表示具取付部材より上方に位置する第２商品表示具取付部材が前記開放部の下縁部に取付けられ、また、前記第２商品表示具取付部材に、前記第１商品表示具又は丈寸法が前記第１商品表示具より大きく形成されて第２商品表示カードを支持する第２商品表示具が取付けられ、
さらに、前記開放部の下縁部に、前記第１商品表示具取付部材に設けられた複数の第１脚部が差し込まれる差し込み溝が前記開放部の横幅方向に沿って長尺状に形成され、
前記第２商品表示具取付部材に前記差し込み溝に差し込まれる複数の第２脚部が設けられ、この第２脚部は、前記差し込み溝に差し込まれた場合に前記差し込み溝に差し込まれている前記第１脚部と重ならない位置に設けられていることを特徴とするショーケース。
【請求項２】
前記第２商品表示具取付部材に取付けられた前記第１商品表示具又は前記第２商品表示具は、前記第１商品表示具取付部材に取付けられた前記第１商品表示具より起立した角度で取付けられ、前記第２商品表示具取付部材の上端部と前記第２商品表示具取付部材に取付けられた前記第１商品表示具又は前記第２商品表示具の上端部とが前記エアカーテンの外側に位置していることを特徴とする請求項１記載のショーケース。
【請求項３】
前記第２商品表示具は、前記第２商品表示具取付部材に取付けられた場合に下端部が前記開放部の下縁部に当接する丈寸法に形成されていることを特徴とする請求項１又は２記載のショーケース。
【発明の詳細な説明】
【技術分野】
【０００１】
本発明は、商品名や商品価格等の商品に関する事項を記載した商品表示カードを支持する商品表示具とこの商品表示具が取付けられる商品表示具取付部材とを備えるショーケースに関する。
【背景技術】
【０００２】
従来、スーパーマーケットなどの食品販売店では、冷蔵食品や生鮮食品を陳列するために、ケース本体の前面側に開放部を形成し、その開放部を冷気のエアカーテンで覆った構造のショーケースが広く使用されている。
【０００３】
このようなショーケースにおいては、例えば下記特許文献１に記載されているように、金属製の線状部材で形成された商品表示具取付部材がケース本体の開放部の下縁部に取付けられ、この商品表示具取付部材に商品表示具が取付けられ、商品名や商品価格等の商品に関する事項を記載した商品表示カードが商品表示具に挟み込まれて支持されている。
【先行技術文献】
【特許文献】
【０００４】
【特許文献１】特開２００１-１７４１３５号公報
【発明の概要】
【発明が解決しようとする課題】
【０００５】
しかしながら、特許文献１に記載されたショーケースにおいては、商品表示カードの文字を大きくして見易くしたいという要望や、商品表示カードの位置を顧客の目線に近付けたいという要望があっても、商品表示具の丈寸法や商品表示具の取付位置の制約があるため、商品表示カードの文字を大きくすることや商品表示カードを顧客の目線に近付けることはできなかった。
【０００６】
商品表示カードの文字を大きくしたり商品表示カードを顧客の目線に近付けたりするためには、丈寸法が大きい商品表示具取付部材をケース本体に取付け、丈寸法が大きい商品表示具取付部材に丈寸法が大きい商品表示具を挟み込んで支持することが考えられる。
【０００７】
しかし、丈寸法が大きい商品表示具取付部材を本体ケースに取付ける場合には、今まで使用していた既存の商品表示具取付部材を保管したり破棄したりする必要があり、保管コストや破棄コストがかかる。
【０００８】
本発明は、このような課題を解決するためになされたものであり、その目的は、既存の商品表示具取付部材を保管したり破棄したりすることなく、大きな文字で記載した商品表示カードを使用することや、商品表示カードを顧客の目線に近付けることが可能なショーケースを提供することである。
【課題を解決するための手段】
【０００９】
本発明に係るショーケースは、ケース本体の前面側に開放部が形成され、開放部が冷気のエアカーテンで覆われることによりケース本体の庫内が保冷され、開放部の下縁部に第１商品表示具取付部材が取付けられ、第１商品表示具取付部材に第１商品表示カードを支持する第１商品表示具が取付可能なショーケースにおいて、上端部が第１商品表示具取付部材より上方に位置する第２商品表示具取付部材が開放部の下縁部に取付けられ、第２商品表示具取付部材に、第１商品表示具又は丈寸法が第１商品表示具より大きく形成されて
第２商品表示カードを支持する第２商品表示具が取付けられる。
【００１０】
また、前述の本発明に係るショーケースにおいて、開放部の下縁部に、第１商品表示具取付部材に設けられた複数の第１脚部が差し込まれる差し込み溝が開放部の横幅方向に沿って長尺状に形成され、第２商品表示具取付部材に差し込み溝に差し込まれる複数の第２脚部が設けられ、第２脚部は、差し込み溝に差し込まれた場合に差し込み溝に差し込まれている第１脚部と重ならない位置に設けられていることが望ましい。
【００１１】
また、前述の本発明に係るショーケースにおいて、第２商品表示具取付部材に取付けられた第１商品表示具又は第２商品表示具は、第１商品表示具取付部材に取付けられた第１商品表示具より起立した角度で取付けられ、第２商品表示具取付部材の上端部と第２商品表示具取付部材に取付けられた第１商品表示具又は第２商品表示具の上端部とがエアカーテンの外側に位置していることが望ましい。
【００１２】
また、前述の本発明に係るショーケースにおいて、第２商品表示具は、第２商品表示具取付部材に取付けられた場合に下端部が開放部の下縁部に当接する丈寸法に形成されていることが望ましい。
【発明の効果】
【００１３】
本発明に係るショーケースによれば、上端部が第１商品表示具取付部材より上方に位置する第２商品表示具取付部材が開放部の下縁部に取付けられることにより、この第２商品表示具取付部材に対して第１商品表示具より丈寸法の大きい第２商品表示具を取付けることができる。このため、第２商品表示具に支持される第２商品表示カードの丈寸法を第１商品表示具に支持される第１商品表示カードの丈寸法より大きくすることができ、第２商品表示カードで使用する文字を大きくして見易くすることができる。また、第１商品表示具を第２商品表示具取付部材に取付けることが可能であり、第２商品表示具取付部材に取付けた第１商品表示具に支持される第１商品表示カードの位置を顧客の目線に近付けることができる。
【００１４】
また、第１商品表示具取付部材と第２商品表示具取付部材とを開放部の下縁部に取付けるために第１商品表示具取付部材の第１脚部と第２商品表示具取付部材の第２脚部とを差し込み溝に差し込んだ場合、第１脚部と第２脚部とが重ならず、第１商品表示具取付部材と第２商品表示具取付部材との取付けを同じ差し込み溝を用いて行うことができる。
【００１５】
また、第２商品表示具取付部材の上端部や第２商品表示具取付部材に取付けられた第１商品表示具や第２商品表示具の上端部の位置が上方に位置しても、第２商品表示具取付部材の上端部や第１商品表示具又は第２商品表示具の上端部がエアカーテンの外側に位置するため、これらの第２商品表示具取付部材や第２商品表示具取付部材に取付けられた第１商品表示具又は第２商品表示具によってエアカーテンが乱されることがなく、ケース本体の庫内の保冷性能を維持することができる。
【００１６】
また、第２商品表示具が第２商品表示具取付部材に取付けられた場合に、第２商品表示具の下端部が開放部の下縁部に当接することにより、ケース本体の庫内からの冷気漏れを抑制することができ、ケース本体の庫内の保冷性能を高めることができる。
【図面の簡単な説明】
【００１７】
【図１】本発明の一実施形態のショーケースを示す断面側面図である。
【図２】（ａ）は第１商品表示具取付部材を示す正面図、（ｂ）はその側面図である。
【図３】（ａ）は第２商品表示具取付部材を示す正面図、（ｂ）はその側面図である。
【図４】第１商品表示具取付部材と第２商品表示具取付部材との取付状態を拡大して示す断面側面図である。
【図５】第１商品表示具取付部材と第２商品表示具取付部材との取付状態を拡大して示す正面図である。
【図６】（ａ）は第１商品表示具と第１商品表示カードとを示す正面図、（ｂ）はその側面図である。
【図７】（ａ）は第２商品表示具と第２商品表示カードとを示す正面図、（ｂ）はその側面図である。
【図８】第１商品表示具を第１商品表示具取付部材に取付けた状態を示す断面側面図である。
【図９】第１商品表示具を第２商品表示具取付部材に取付けた状態を示す断面側面図である。
【発明を実施するための形態】
【００１８】
本発明の一実施形態を図面に基づいて説明する。図１に示すように、ショーケース１は、ケース本体２と、ケース本体２の下側に設けられた基台３とを備えている。
【００１９】
ケース本体２は、背面側に位置する背面部２ａと、天井側に位置する天井部２ｂと、底面側に位置する底面部２ｃと、前面側下方に位置する下部前面部２ｄと、両側面に位置する側面部（図示せず）とから形成され、ケース本体２の前面側には開放部４が形成されている。ケース本体２を形成するこれらの各部２ａ、２ｂ、２ｃ、２ｄは、平行に対向する２枚の板部材の間に断熱材を充填して形成されている。
【００２０】
ショーケース１には、ケース本体２の内側に位置する庫内パネル５が設けられ、この庫内パネル５とケース本体２との間に冷風が送風されるダクト６が形成されている。庫内パネル５は、ケース本体２の背面部２ａに対向して位置する背面部パネル５ａと、ケース本体２の天井部２ｂに対向して位置する天井部パネル５ｂと、ケース本体２の底面部２ｃに対向して位置する底面部パネル５ｃとにより形成されている。
【００２１】
ダクト６内であって、ケース本体２の底面部２ｃと底面部パネル５ｃとの間の部分には、空気を送風するためのファン７と、ファン７により送風された空気を冷却する蒸発器８とが設けられている。蒸発器８で冷却された冷気は、ダクト６内を矢印で示すように送風される。天井部パネル５ｂには、ダクト６内を送風された冷気が下向き吹出すハニカム構造の冷気吹出口９が形成されている。冷気吹出口９から吹出した冷気は、矢印で示すように下向きに送風され、開放部４を覆う冷気のエアカーテン１０を形成する。底面部パネル５ｃには冷気吸込口１１が形成され、エアカーテン１０を形成した冷気は冷気吸込口１１からダクト６内に吸込まれる。開放部４が冷気のエアカーテン１０で覆われることにより、ケース本体２の内部空間である庫内が保冷される。冷気吹出口９と冷気吸込口１１とは、開放部４の横幅方向に沿った全体に亘って形成されている。
【００２２】
ケース本体２の外部には、圧縮機（図示せず）と凝縮器（図示せず）とが設置されている。圧縮機と凝縮器とは冷媒が流れる冷媒パイプ（図示せず）を介して蒸発器８に接続され、これらの蒸発器８と圧縮機と凝縮器とにより冷凍機ユニットが構成されている。
【００２３】
背面部パネル５ａには、上下方向に沿って複数段の陳列棚１４が取付けられている。最下段の陳列棚１４の下側には、床デッキ部１５が設けられている。これらの陳列棚１４と床デッキ部１５とには、商品が陳列される。
【００２４】
ケース本体２の下部前面部２ｄには、開放部４の下縁部に位置して開放部４の横幅方向
に沿って延びた手摺りレール１６が設けられている。この手摺りレール１６には、冷気吸込口１１の手前側に位置する差し込み溝１７が形成され、この差し込み溝１７は開放部４の横幅方向に沿って延びた長尺状に形成されている。
【００２５】
手摺りレール１６には、第１商品表示具取付部材１８と第２商品表示具取付部材１９とが差し込み溝１７を用いて取付けられている。これらの第１商品表示具取付部材１８と第２商品表示具取付部材１９とは、後述するように、ケース本体２内に陳列されている商品、特に、床デッキ部１５に陳列されている商品に関する商品名や商品価格等の事項を記載した商品表示カード（後述する第１商品表示カード２０、第２商品表示カード２１）を支持するための商品表示具（後述する第１商品表示具２２、第２商品表示具２３）が取付けられる。図１では、第２商品表示具取付部材１９に第２商品表示具２３が取付けられた状態を示している。
【００２６】
図２は、（ａ）が第１商品表示具取付部材１８を示す正面図、（ｂ）がその側面図である。第１商品表示具取付部材１８は、ステンレス製の線状部材を用いて楕円状に形成された第１取付部１８ａと、ステンレス製の線状部材を用いてクランク状に形成され、第１取付部１８ａに溶接された複数の第１脚部１８ｂとを有している。
【００２７】
図３は、（ａ）が第２商品表示具取付部材１９を示す正面図、（ｂ）がその側面図である。第２商品表示具取付部材１９は、ステンレス製の線状部材を用いて楕円状に形成された第２取付部１９ａと、ステンレス製の線状部材を用いてクランク状に形成され、第２取付部１９ａに溶接された複数の第２脚部１９ｂとを有している。第２取付部１９ａの形状は第１取付部１８ａの形状と同じであり、第２脚部１９ｂの長さ寸法は第１脚部１８ｂの長さ寸法より長く形成されている。
【００２８】
図４は、第１商品表示具取付部材１８と第２商品表示具取付部材１９とが、差し込み溝１７を用いて手摺りレール１６に取付けられている状態を拡大して示す断面側面図である。差し込み溝１７には係止レール２４が嵌合され、この係止レール２４は開放部４の横幅方向に沿って差し込み溝１７と略同じ長さに形成されている。係止レール２４には、差し込み溝１７に差し込まれた第１脚部１８ｂと第２脚部１９ｂとの外周部に当接する抑え部２４ａが形成されている。差し込み溝１７に差し込まれた第１脚部１８ｂと第２脚部１９ｂとは、係止レール２４の抑え部２４ａと、差し込み溝１７に臨んで位置する庫内パネル５の先端側屈曲部５ｄとにより挟まれ、手摺りレール１６に取付けられた第１商品表示具取付部材１８と第２商品表示具取付部材１９とのふらつきが防止されている。
【００２９】
第１脚部１８ｂと第２脚部１９ｂとの長さ寸法は、第１脚部１８ｂと第２脚部１９ｂとを差し込み溝１７に差し込んで第１商品表示具取付部材１８と第２商品表示具取付部材１９とを手摺りレール１６に取付けた場合、第２取付部１９ａの下端部が第１取付部１８ａの上端部より上方に位置するように設定されている。
【００３０】
第２商品表示具取付部材１９には、第２商品表示具２３が取付けられている。第２商品表示具２３は、透明なＰＥＴ（ポリエチレンテレフタレート）樹脂やＰＣ（ポリカーボネート）樹脂で形成され、フック部２３ａとカード入れ部２３ｂとを有している。第２商品表示具取付部材１９への第２商品表示具２３の取付けは、フック部２３ａを第２取付部１９ａの上端部に引っ掛けることにより行われている。カード入れ部２３ｂには、第２商品表示カード２１が挟み込んで支持されている。第２商品表示カード２１には、床デッキ部１５に陳列されている商品に関する商品名や商品価格等の事項が記載されている。
【００３１】
第２商品表示具取付部材１９に取付けられた第２商品表示具２３は、その取付角度が“Ｙ”とされている。第２商品表示具取付部材１９の上端部とこの第２商品表示具取付部材
１９に取付けられた第２商品表示具２３の上端部とは、エアカーテン１０の外側に位置している。
【００３２】
第２商品表示具２３は、第２商品表示具取付部材１９に取付けられた場合に下端部が開放部４の下縁部である手摺りレール１６に当接する丈寸法に形成されている。
【００３３】
図５は、第１商品表示具取付部材１８と第２商品表示具取付部材１９とが、差し込み溝１７を用いて手摺りレール１６に取付けられている状態を拡大して示す正面図である。第１取付部１８ａに対する第１脚部１８ｂの溶接位置と、第２取付部１９ａに対する第２脚部１９ｂの溶接位置とが、第１商品表示具取付部材１８と第２商品表示具取付部材１９との長手方向に沿ってずらしてある。このため、第１商品表示具取付部材１８と第２商品表示具取付部材１９とを手摺りレール１６に取付けるために第１脚部１８ｂと第２脚部１９ｂとを差し込み溝１７に差し込んだ場合、第１脚部１８ｂと第２脚部１９ｂとは重なることなく差し込まれる。
【００３４】
図６は、（ａ）が第１商品表示具取付部材１８に取付可能な第１商品表示具２２とこの第１商品表示具２２に支持される第１商品表示カード２０とを示す正面図、（ｂ）がその側面図である。第１商品表示具２２は、透明なＰＥＴ樹脂やＰＣ樹脂で形成され、フック部２２ａとカード入れ部２２ｂとを有している。フック部２２ａが第１商品表示具取付部材１８の第１取付部１８ａの上端部に引っ掛けられ、カード入れ部２２ｂには第１商品表示カード２０が矢印方向に挿入して挟み込まれ、支持される。第１商品表示カード２０には、床デッキ部１５に陳列されている商品に関する商品名や商品価格等の事項が記載されている。
【００３５】
第１商品表示具２２のカード入れ部２２ｂの丈寸法は“Ａ”であり、カード入れ部２２ｂに挟み込まれて支持される第１商品表示カード２０の丈寸法は、カード入れ部２２ｂに挟み込み可能な“ａ”である。そして、この第１商品表示カード２０には、陳列された商品に関する事項、例えば、「本日の特売品」「カレー用牛肉」「１００ｇ・１００円」等が記載されている。
【００３６】
なお、第１商品表示具２２のフック部２２ａを第２商品表示具取付部材１９の第２取付部１９ａの上端部に引っ掛けることにより、第１商品表示具２２を第２商品表示具取付部材１９に取付けることも可能である。
【００３７】
図７は、（ａ）が第２商品表示具取付部材１９に取付けられる第２商品表示具２３とこの第２商品表示具２３に支持される第２商品表示カード２１とを示す正面図、（ｂ）がその側面図である。第２商品表示具２３は既に説明した第１商品表示具２２と同様に、透明なＰＥＴ樹脂やＰＣ樹脂で形成され、フック部２３ａとカード入れ部２３ｂとを有している。フック部２３ａが第２商品表示具取付部材１９の第２取付部１９ａの上端部に引っ掛けられ、カード入れ部２３ｂには第２商品表示カード２１が矢印方向に挿入して挟み込まれ、支持される。
【００３８】
第２商品表示具２３のカード入れ部２３ｂの丈寸法は“Ｂ”であり、第１商品表示具２２のカード入れ部２２ｂの丈寸法“Ａ”より大きく形成されている。カード入れ部２３ｂに挟み込まれて支持される第２商品表示カード２１の丈寸法は、カード入れ部２３ｂに挟み込み可能な“ｂ”であり、第１商品表示カード２０の丈寸法“ａ”より大きく形成されている。このため、この第２商品表示カード２１に第１商品表示カード２０と同じ内容の事項、例えば、「本日の特売品」「カレー用牛肉」「１００ｇ・１００円」等を記載する場合、その文字を大きくして見易くすることができる。
【００３９】
図８は、第１商品表示具取付部材１８と第２商品表示具取付部材１９とが手摺りレール１６に取付けられ、第１商品表示具取付部材１８に第１商品表示具２２が取付けられている状態を示す断面側面図である。第１商品表示具取付部材１８への第１商品表示具２２の取付けは、フック部２２ａを第１取付部１８ａの上端部に引っ掛けることにより行われている。第１商品表示具取付部材１８に取付けられた第１商品表示具２２は、その取付角度が“Ｘ”となる角度で取付けられている。図４に示した第２商品表示具取付部材１９への第２商品表示具２３の取付角度“Ｙ”は、この取付角度“Ｘ”より起立した大きな角度とされている。
【００４０】
図９は、第１商品表示具取付部材１８と第２商品表示具取付部材１９とが手摺りレール１６に取付けられ、第２商品表示具取付部材１９に第１商品表示具２２が取付けられている状態を示す断面側面図である。第２商品表示具取付部材１９への第１商品表示具２２の取付けは、フック部２２ａを第２取付部１９ａの上端部に引っ掛けることにより行われている。第２商品表示具取付部材１９に取付けられた第１商品表示具２２は、その取付角度が“Ｚ”とされている。この取付角度“Ｚ”は、第１商品表示具取付部材１８への第１商品表示具２２の取付角度“Ｘ”より起立した大きな角度とされている。第２商品表示具取付部材１９の上端部とこの第２商品表示具取付部材１９に取付けられた第１商品表示具２２の上端部とは、エアカーテン１０の外側に位置している。
【００４１】
このような構成において、このショーケース１では、第２商品表示具取付部材１９を手摺りレール１６に取付ける場合には、第２商品表示具取付部材１９の第２脚部１９ｂを差し込み溝１７に差し込むことにより行う。
【００４２】
第２商品表示具取付部材１９の第２脚部１９ｂは、この第２脚部１９ｂを差し込み溝１７に差し込んだ場合の位置が、図５に示すように、差し込み溝１７に既に差し込まれている第１商品表示具取付部材１８の第１脚部１８ｂと重ならない位置に設けられている。このため、手摺りレール１６への第２商品表示具取付部材１９の取付けを、従来から使用されている第１商品表示具取付部材１８を手摺りレール１６から取外して保管したり廃棄したりすることなく行うことができる。これにより、第２商品表示具取付部材１９の手摺りレール１６への取付けを、第１商品表示具取付部材１８を手摺りレール１６から取外すことなく同じ差し込み溝１７を用いて容易に行うことができる。
【００４３】
第２商品表示具取付部材１９に取付けられる第２商品表示具２３は、その丈寸法が“Ｂ”であり（図７参照）、第１商品表示具取付部材１８に取付けられている第１商品表示具２２の丈寸法は“Ａ”であり（図６参照）、丈寸法“Ｂ”が丈寸法“Ａ”より大きく形成されている。このため、第２商品表示具２３に支持される第２商品表示カード２１の丈寸法“ｂ”を第１商品表示具２２に支持される第１商品表示カード２０の丈寸法“ａ”より大きくすることができる。そして、第１商品表示カード２０と第２商品表示カード２１とに同じ内容を記載する場合、図６及び図７に示すように、第２商品表示カード２１に記載する文字を大きくして見易くすることができる。
【００４４】
また、図９に示すように、第１商品表示具２２を第２商品表示具取付部材１９に取付けることができる。この場合には、第２商品表示具２３に支持された第１商品表示カード２０の位置を顧客の目線に近付けて見易くすることができる。
【００４５】
第２商品表示具取付部材１９の第２取付部１９ａに取付けられた第２商品表示具２３の取付け角度“Ｙ”（図４参照）は、第１商品表示具取付部材１８に取付けられた第１商品表示具２２の取付角度“Ｘ”（図８参照）より起立した大きな角度とされている。このため、第２商品表示具取付部材１９の上端部と第２商品表示具取付部材1９に取付けられた
第２商品表示具２３の上端部が上方に位置することになっても、その上端部をエアカーテ
ン１０の内側に入り込まないようにすることができる。そして、第２商品表示具取付部材１９の上端部と第２商品表示具取付部材１９に取付けられた第２商品表示具２３の上端部とがエアカーテン１０の外側に位置するため、これらの第２商品表示具取付部材１９や第２商品表示具２３によってエアカーテン１０が乱されることがなく、ケース本体２の庫内の保冷性能を維持することができる。
【００４６】
また、第２商品表示具取付部材１９の第２取付部１９ａに取付けられた第１商品表示具２２の取付け角度“Ｚ”（図９参照）は、第１商品表示具取付部材１８に取付けられた第１商品表示具２２の取付角度“Ｘ”（図８参照）より起立した大きな角度とされている。このため、第２商品表示具取付部材１９に取付けられた第１商品表示具２２の上端部が上方に位置することになっても、その上端部をエアカーテン１０の内側に入り込まないようにすることができる。そして、第２商品表示具取付部材１９に取付けられた第１商品表示具２２の上端部と第２商品表示具取付部材１９の上端部とがエアカーテン１０の外側に位置するため、これらの第２商品表示具取付部材１９や第１商品表示具２２によってエアカーテン１０が乱されることがなく、ケース本体２の庫内の保冷性能を維持することができる。
【００４７】
第２商品表示具取付部材１９に取付けられた第２商品表示具２３は、その下端部が手摺りレール１６に当接する丈寸法に形成されている。このため、第２商品表示具２３はケース本体２の庫内からの冷気漏れを抑制することができ、庫内の保冷性能を高めることができる。
【００４８】
なお、本実施の形態では、図９に示したように、第１商品表示具取付部材１８に取付けられていた第１商品表示具２２を、第２商品表示具取付部材１９に取付けた場合を例に挙げて説明したが、第１商品表示具２２を二つ用意し、第１商品表示具取付部材１８と第２商品表示具取付部材１９とにそれぞれ第１商品表示具２２を取付けてもよい。
【００４９】
以上、本発明の一実施形態を説明したが、この実施形態は例として提示したものであり、発明の範囲を限定することは意図していない。この新規な実施形態は、その他の様々な形態で実施されることが可能であり、発明の要旨を逸脱しない範囲で、様々の省略、置き換え、変更を行うことができる。この実施形態やその変形は、発明の範囲や要旨に含まれるとともに、特許請求の範囲に記載された発明とその均等の範囲に含まれる。
【符号の説明】
【００５０】
１      ショーケース
２      ケース本体
２ａ    背面部
２ｂ    天井部
２ｃ    底面部
２ｄ    下部前面部
３      基台
４      開放部
５      庫内パネル
５ａ    背面部パネル
５ｂ    天井部パネル
５ｃ    底面部パネル
６      ダクト
７      ファン
８      蒸発器
９      冷気吹出口
１０      エアカーテン
１１      冷気吸込口
１４      陳列棚
１５      床デッキ部
１６      手摺りレール
１７      差し込み溝
１８      第１商品表示具取付部材
１８ａ    第１取付部
１８ｂ    第１脚部
１９      第２商品表示具取付部材
１９ａ    第２取付部
１９ｂ    第２脚部
２０      第１商品表示カード
２１      第２商品表示カード
２２      第１商品表示具
２２ａ    フック部
２２ｂ    カード入れ部
２３      第２商品表示具
２３ａ    フック部
２３ｂ    カード入れ部
２４      係止レール
【図１】
0005808217.tif 000002
【図２】
0005808217.tif 000003
【図３】
0005808217.tif 000004
【図４】
0005808217.tif 000005
【図５】
0005808217.tif 000006
【図６】
0005808217.tif 000007
【図７】
0005808217.tif 000008
【図８】
0005808217.tif 000009
【図９】
0005808217.tif 000010